(57)【要約】【課題】複数のシート保持部を備える印刷装置において、分割画像が印刷された複数のシートを繋ぎ合わせたときの分割画像間のずれを抑制すること。【解決手段】複数のシート保持部と、前記複数のシート保持部のそれぞれに保持されているシートの枚数を検知する検知部と、搬送部と、印刷部と、制御部と、を備え、前記制御部は、前記複数のシート保持部の何れかに保持されているシートを搬送するように前記搬送部を制御する搬送処理（Ｓ１０６）と、一の画像を複数に分割した分割画像のそれぞれを前記搬送部によって搬送されている別々のシートに印刷するように前記印刷部を制御する分割印刷処理（Ｓ１０７）と、を実行し、前記制御部は、前記搬送処理において、前記検知部により検知される前記シートの枚数に基づいて、前記複数のシート保持部のうち前記分割画像の数以上の枚数のシートが保持されている一のシート保持部を選択し、当該一のシート保持部からシートを搬送させる、印刷装置。【選択図】図５
2015193091.tif 000002
【特許請求の範囲】
【請求項１】
複数のシート保持部と、
前記複数のシート保持部のそれぞれに保持されているシートの枚数を検知する検知部と、
搬送部と、
印刷部と、
制御部と、
を備え、
前記制御部は、
前記複数のシート保持部の何れかに保持されているシートを搬送するように前記搬送部を制御する搬送処理と、
一の画像を複数に分割した分割画像のそれぞれを前記搬送部によって搬送されている別々のシートに印刷するように前記印刷部を制御する分割印刷処理と、
を実行し、
前記制御部は、前記搬送処理において、前記検知部により検知される前記シートの枚数に基づいて、前記複数のシート保持部のうち前記分割画像の数以上の枚数のシートが保持されている一のシート保持部を選択し、当該一のシート保持部からシートを搬送させる、印刷装置。
【請求項２】
請求項１に記載の印刷装置であって、
前記制御部は、前記搬送処理において、前記分割画像の数より多い枚数のシートを保持している前記一のシート保持部を選択する、印刷装置。
【請求項３】
請求項１又は請求項２に記載の印刷装置であって、
前記制御部は、前記分割画像の数以上の枚数のシートを保持している前記シート保持部が存在しない場合は前記分割画像の印刷を中止する、又は、いずれかの前記シート保持部に前記分割画像の数以上の枚数のシートが保持されるまで印刷の開始を待機する、印刷装置。
【請求項４】
複数のシート保持部と、
前記複数のシート保持部のそれぞれに保持されているシートの枚数を検知する検知部と、
搬送部と、
印刷部と、
制御部と、
を備え、
前記制御部は、
前記複数のシート保持部の何れかに保持されているシートを搬送するように前記搬送部を制御する搬送処理と、
一の画像を複数に分割した分割画像のそれぞれを前記搬送部によって搬送されている別々のシートに印刷するように前記印刷部を制御する分割印刷処理と、
を実行し、
前記制御部は、前記搬送処理において、前記検知部により検知される前記シートの枚数に基づいて、連続性のある複数の前記分割画像を一の分割画像グループとして、前記分割画像グループ毎に、前記複数のシート保持部のうち当該分割画像グループに属する前記分割画像の数以上の枚数のシートを保持している一のシート保持部を選択し、当該一のシート保持部からシートを搬送させ、前記分割印刷処理において、当該分割画像グループに属する複数の前記分割画像のそれぞれを前記一のシート保持部から搬送された別々のシートに印刷するように前記印刷部を制御する、印刷装置。
【請求項５】
請求項４に記載の印刷装置であって、
前記制御部は、前記搬送処理において、前記分割画像グループ毎に、当該分割画像グループに属する前記分割画像の数より多い枚数のシートを保持している前記一のシート保持部を選択する、印刷装置。
【請求項６】
請求項５に記載の印刷装置であって、
前記制御部は、前記搬送処理において、前記一の画像を構成している一のオブジェクトが前記複数の分割画像に跨って分割される場合に、当該複数の分割画像は連続性があると判断する、印刷装置。
【請求項７】
請求項４乃至請求項６のいずれか一項に記載の印刷装置であって、
前記制御部は、前記搬送処理において、縁部の色が変化する前記分割画像は他の前記分割画像との連続性があると判断し、縁部の色が変化しない前記分割画像は他の前記分割画像との連続性がないと判断する、印刷装置。
【請求項８】
請求項４乃至請求項７のいずれか一項に記載の印刷装置であって、
前記制御部は、前記分割画像グループに属する前記分割画像を、前記分割画像グループに属さない前記分割画像より先に印刷させる、印刷装置。
【請求項９】
請求項４乃至請求項８のいずれか一項に記載の印刷装置であって、
前記制御部は、前記分割画像グループが複数ある場合は、前記分割画像の数が多い前記分割画像グループから先に印刷させる、印刷装置。
【請求項１０】
請求項４乃至請求項９のいずれか一項に記載の印刷装置であって、
前記制御部は、各前記分割画像グループについて、当該分割画像グループに属する前記分割画像の数以上の枚数のシートを保持している前記シート保持部が存在しない場合は前記分割画像の印刷を中止する、又は、いずれかの前記シート保持部に当該分割画像グループに属する前記分割画像の数以上の枚数のシートが保持されるまで印刷の開始を待機する、印刷装置。
【請求項１１】
複数のシート保持部と、
搬送部と、
印刷部と、
制御部と、
を備え、
前記制御部は、
前記シート保持部に保持されているシートを搬送するように前記搬送部を制御する搬送処理と、
前記搬送部によって搬送されているシートに画像を印刷するように前記印刷部を制御する印刷処理と、
を実行し、
前記制御部は、
複数の画像をそれぞれ別々のシートに印刷させる通常印刷の場合は、一の前記シート保持部に保持されているシートがなくなると別の前記シート保持部に切り替えて前記搬送部にシートを搬送させ、
一の画像を複数に分割した分割画像をそれぞれ別々のシートに印刷させる分割印刷の場合は、一の前記シート保持部に保持されているシートがなくなると印刷を中止する、又は、当該一の前記シート保持部にシートが保持されるまで印刷を中断する、印刷装置。
【請求項１２】
請求項１乃至請求項１１のいずれか一項に記載の印刷装置であって、
前記制御部は、前記搬送処理において、故障の頻度が基準回数以下の前記シート保持部からシートを搬送させる、印刷装置。
【請求項１３】
複数のシート保持部と、前記複数のシート保持部のそれぞれに保持されているシートの枚数を検知する検知部と、搬送部と、印刷部と、制御部とを備える画像形成装置における分割印刷方法であって、
前記制御部が、前記複数のシート保持部の何れかに保持されているシートを搬送するように前記搬送部を制御する搬送工程と、
前記制御部が、一の画像を複数に分割した分割画像のそれぞれを前記搬送部によって搬送されている別々のシートに印刷するように前記印刷部を制御する分割印刷工程と、
を含み、
前記制御部は、前記搬送工程において、前記検知部により検知される前記シートの枚数に基づいて、前記複数のシート保持部のうち前記分割画像の数以上の枚数のシートが保持されている一のシート保持部を選択し、当該一のシート保持部からシートを搬送させる、分割印刷方法。
【請求項１４】
複数のシート保持部と、前記複数のシート保持部のそれぞれに保持されているシートの枚数を検知する検知部と、搬送部と、印刷部と、制御部と、を備える画像形成装置の前記制御部によって実行される分割印刷プログラムであって、
前記制御部に、
前記複数のシート保持部の何れかに保持されているシートを搬送するように前記搬送部を制御する搬送処理と、
一の画像を複数に分割した分割画像のそれぞれを前記搬送部によって搬送されている別々のシートに印刷するように前記印刷部を制御する分割印刷処理と、
を実行させ、
前記制御部は、前記搬送処理において、前記検知部により検知される前記シートの枚数に基づいて、前記複数のシート保持部のうち前記分割画像の数以上の枚数のシートが保持されている一のシート保持部を選択し、当該一のシート保持部からシートを搬送させる、分割印刷プログラム。
【発明の詳細な説明】
【技術分野】
【０００１】
一の画像を複数に分割した分割画像を印刷する技術に関する。
【背景技術】
【０００２】
従来、一の画像を複数に分割した分割画像をそれぞれ別々のシートに印刷する所謂分割印刷を行う印刷装置が知られている（例えば、特許文献１参照）。
【先行技術文献】
【特許文献】
【０００３】
【特許文献１】特開２０１２−２２７９３７号公報
【発明の概要】
【発明が解決しようとする課題】
【０００４】
本願の発明者は、複数のシート保持部を備える印刷装置において、一のシート保持部に保持されているシートを搬送して分割印刷を行っている途中で当該シート保持部に保持されているシートがなくなった場合、別のシート保持部に切り替えて印刷すると、分割画像が印刷された複数のシートを繋ぎ合わせたときの分割画像間のずれが大きくなることを新たに発見した。これは、シート保持部を切り替えると、シートの給紙機構や搬送経路も変わるため、シートに対する分割画像の印刷位置などが変わるためと考えられる。上述した従来の技術ではこの問題について検討されていなかった。
【０００５】
本明細書では、複数のシート保持部を備える印刷装置において、分割画像が印刷された複数のシートを繋ぎ合わせたときの分割画像間のずれを抑制する技術を開示する。
【課題を解決するための手段】
【０００６】
本明細書によって開示される印刷装置は、複数のシート保持部と、前記複数のシート保持部のそれぞれに保持されているシートの枚数を検知する検知部と、搬送部と、印刷部と、制御部と、を備え、前記制御部は、前記複数のシート保持部の何れかに保持されているシートを搬送するように前記搬送部を制御する搬送処理と、一の画像を複数に分割した分割画像のそれぞれを前記搬送部によって搬送されている別々のシートに印刷するように前記印刷部を制御する分割印刷処理と、を実行し、前記制御部は、前記搬送処理において、前記検知部により検知される前記シートの枚数に基づいて、前記複数のシート保持部のうち前記分割画像の数以上の枚数のシートが保持されている一のシート保持部を選択し、当該一のシート保持部からシートを搬送させる。
【０００７】
上記印刷装置によると、分割印刷の途中でシート保持部を切り替えなくてよいので、分割画像が印刷された複数のシートを繋ぎ合わせたときの分割画像間のずれを抑制することができる。
【０００８】
また、前記制御部は、前記搬送処理において、前記分割画像の数より多い枚数のシートを保持している前記一のシート保持部を選択してもよい。
【０００９】
シート保持部に複数のシートが保持されている場合、最後に搬送されるシート以外のシートは他のシートに摺れながら搬送されるのに対し、最後に搬送されるシートは他のシートに摺れながら搬送されないので、摩擦状態に違いが生じる。摩擦状態に違いが生じると、その影響によって最後のシートと他のシートとを繋ぎ合わせたときに分割画像間のずれが大きくなる虞がある。上記印刷装置によると、分割画像の数より多い枚数のシートを保持している一のシート保持部から搬送させるので、分割画像が印刷される複数のシートのうち最後に搬送されるシートと他のシートとの摩擦状態の違いを抑制できる。
【００１０】
また、前記制御部は、前記分割画像の数以上の枚数のシートを保持している前記シート保持部が存在しない場合は前記分割画像の印刷を中止する、又は、いずれかの前記シート保持部に前記分割画像の数以上の枚数のシートが保持されるまで印刷の開始を待機してもよい。
【００１１】
上記印刷装置によると、分割画像が印刷された複数のシートを繋ぎ合わせたときの分割画像間のずれを抑制することができる。
【００１２】
また、本明細書によって開示される印刷装置は、複数のシート保持部と、前記複数のシート保持部のそれぞれに保持されているシートの枚数を検知する検知部と、搬送部と、印刷部と、制御部と、を備え、前記制御部は、前記複数のシート保持部の何れかに保持されているシートを搬送するように前記搬送部を制御する搬送処理と、一の画像を複数に分割した分割画像のそれぞれを前記搬送部によって搬送されている別々のシートに印刷するように前記印刷部を制御する分割印刷処理と、を実行し、前記制御部は、前記搬送処理において、前記検知部により検知される前記シートの枚数に基づいて、連続性のある複数の前記分割画像を一の分割画像グループとして、前記分割画像グループ毎に、前記複数のシート保持部のうち当該分割画像グループに属する前記分割画像の数以上の枚数のシートを保持している一のシート保持部を選択し、当該一のシート保持部からシートを搬送させ、前記分割印刷処理において、当該分割画像グループに属する複数の前記分割画像のそれぞれを前記一のシート保持部から搬送された別々のシートに印刷するように前記印刷部を制御する。
【００１３】
上記印刷装置によると、連続性のある複数の分割画像の印刷の途中でシート保持部を切り替えなくてよいので、連続性のある分割画像が印刷された複数のシートを繋ぎ合わせたときの分割画像間のずれを抑制することができる。
【００１４】
また、前記制御部は、前記搬送処理において、前記分割画像グループ毎に、当該分割画像グループに属する前記分割画像の数より多い枚数のシートを保持している前記一のシート保持部を選択してもよい。
【００１５】
シート保持部に複数のシートが保持されている場合、最後に搬送されるシート以外のシートは他のシートに摺れながら搬送されるのに対し、最後に搬送されるシートは他のシートに摺れながら搬送されないので、摩擦状態に違いが生じる。摩擦状態に違いが生じると、その影響によって最後のシートに印刷された分割画像と他のシートに印刷された分割画像とを繋ぎ合わせたときに分割画像間のずれが大きくなる虞がある。上記印刷装置によると、分割画像グループに属する分割画像の数より多い枚数のシートを保持している一のシート保持部から搬送させるので、各分割画像グループについて、当該分割画像グループに属する分割画像が印刷される複数のシートのうち最後に搬送されるシートと他のシートとの摩擦状態の違いを抑制できる。
【００１６】
また、前記制御部は、前記搬送処理において、前記一の画像を構成している一のオブジェクトが前記複数の分割画像に跨って分割される場合に、当該複数の分割画像は連続性があると判断してもよい。
【００１７】
上記印刷装置によると、一のオブジェクトが跨って印刷されるか否かにより、他の分割画像との連続性があるか否かを判断することができる。
【００１８】
また、前記制御部は、前記搬送処理において、縁部の色が変化する前記分割画像は他の前記分割画像との連続性があると判断し、縁部の色が変化しない前記分割画像は他の前記分割画像との連続性がないと判断してもよい。
【００１９】
上記印刷装置によると、縁部の色が変化するか否かにより、他の分割画像との連続性があるか否かを判断することができる。
【００２０】
また、前記制御部は、前記分割画像グループに属する前記分割画像を、前記分割画像グループに属さない前記分割画像より先に印刷させてもよい。
【００２１】
上記印刷装置によると、分割画像グループに属する分割画像を印刷させるとき、当該分割画像グループに属する分割画像の数以上の枚数のシートを保持しているシート保持部が存在する可能性が高くなる。
【００２２】
また、前記制御部は、前記分割画像グループが複数ある場合は、前記分割画像の数が多い前記分割画像グループから先に印刷させてもよい。
【００２３】
上記印刷装置によると、分割画像の数が多い分割画像グループに属する分割画像を印刷させるとき、当該分割画像グループに属する分割画像の数以上の枚数のシートを保持しているシート保持部が存在する可能性が高くなる。
【００２４】
また、前記制御部は、各前記分割画像グループについて、当該分割画像グループに属する前記分割画像の数以上の枚数のシートを保持している前記シート保持部が存在しない場合は前記分割画像の印刷を中止する、又は、いずれかの前記シート保持部に当該分割画像グループに属する前記分割画像の数以上の枚数のシートが保持されるまで印刷の開始を待機してもよい。
【００２５】
上記印刷装置によると、連続性のある分割画像が印刷された複数のシートを繋ぎ合わせたときの分割画像間のずれを抑制することができる。
【００２６】
また、本明細書によって開示される印刷装置は、複数のシート保持部と、搬送部と、印刷部と、制御部と、を備え、前記制御部は、前記シート保持部に保持されているシートを搬送するように前記搬送部を制御する搬送処理と、前記搬送部によって搬送されているシートに画像を印刷するように前記印刷部を制御する印刷処理と、を実行し、前記制御部は、複数の画像をそれぞれ別々のシートに印刷させる通常印刷の場合は、一の前記シート保持部に保持されているシートがなくなると別の前記シート保持部に切り替えて前記搬送部にシートを搬送させ、一の画像を複数に分割した分割画像をそれぞれ別々のシートに印刷させる分割印刷の場合は、一の前記シート保持部に保持されているシートがなくなると印刷を中止する、又は、当該一の前記シート保持部にシートが保持されるまで印刷を中断する。
【００２７】
上記印刷装置によると、分割印刷の場合は途中でシート保持部を切り替えないので、分割画像が印刷された複数のシートを繋ぎ合わせたときの分割画像間のずれを抑制することができる。
【００２８】
また、前記制御部は、前記搬送処理において、故障の頻度が基準回数以下の前記シート保持部からシートを搬送させてもよい。
【００２９】
上記印刷装置によると、分割印刷の途中でシート保持部が故障して別のシート保持部に切り替えなければならなくなる可能性を低減できる。
【００３０】
なお、本明細書によって開示される技術は、分割印刷方法、分割印刷プログラム、分割印刷プログラムを記録した記録媒体等の種々の態様で実現することができる。
【発明の効果】
【００３１】
上記の印刷装置によると、複数のシート保持部を備える印刷装置において、分割画像が印刷された複数のシートを繋ぎ合わせたときの分割画像間のずれを抑制することができる。
【図面の簡単な説明】
【００３２】
【図１】実施形態１に係るプリンタの構成を示す模式図。
【図２】プリンタの電気的構成を示す模式図。
【図３】分割印刷を説明するための模式図。
【図４】分割画像間のずれを示す模式図。
【図５】分割印刷処理のフローチャート。
【図６】実施形態２に係る連続性を説明するための模式図。
【図７】分割印刷処理のフローチャート。
【図８】分割画像グループの印刷処理のフローチャート。
【図９】連続性のない分割画像の印刷処理のフローチャート。
【図１０】実施形態４に係る印刷処理のフローチャート。
【図１１】通常印刷処理のフローチャート。
【図１２】分割印刷処理のフローチャート。
【発明を実施するための形態】
【００３３】
＜実施形態１＞
実施形態１を図１ないし図５によって説明する。
（１）プリンタの構成
先ず、図１を参照して、実施形態１に係る画像形成装置としてのプリンタ１の構成について説明する。プリンタ１は筐体１０、複数のシート保持部１１、搬送部２０、画像形成部３０などを備えている。
【００３４】
複数のシート保持部１１はそれぞれ上方が解放された略箱状に形成されており、プリンタ１の筐体１０から引き出し可能に設けられている。各シート保持部１１はシートＭが積載される積載板１１Ａ、積載板１１Ａを給紙ローラ２１に向かって下から付勢する付勢部材１１Ｂ、位置決め部１２などを有している。
【００３５】
位置決め部１２はシートＭを図１の紙面に垂直な方向（主走査方向）に位置決めするためのものであり、板面が紙面に平行な板状部材１２Ａと、板状部材１２Ａを紙面に垂直な方向にスライドさせる図示しないスライド機構とを備えている。ユーザはシート保持部１１の紙面奥側の壁にシートＭの縁を突き当て、その後に板状部材１２ＡをシートＭの縁に突き当たるまで紙面奥側にスライドさせることにより、シートＭを主走査方向に位置決めすることができる。
【００３６】
なお、位置決め部１２は必ずしも備えていなくてもよい。また、シート保持部１１は紙面左右方向にスライドしてシートＭを副走査方向に位置決めする位置決め部を有していてもよい。
【００３７】
搬送部２０は給紙ローラ２１、搬送ローラ２２、排紙ローラ２３などの各種のローラやこれらのローラを回転駆動する図示しないモータなどを備えており、シート保持部１１に保持されているシートＭを１枚ずつ搬送経路Ｔに沿って搬送する。
【００３８】
画像形成部３０は搬送部２０によって搬送されているシートＭに電子写真方式やインクジェット方式によって画像を印刷する。画像形成部３０によって画像が印刷されたシートＭは排紙口１０Ａから筐体１０の上に排紙される。画像形成部３０は印刷部の一例である。
【００３９】
（２）プリンタの電気的構成
次に、図２を参照して、プリンタ１の電気的構成について説明する。プリンタ１は制御部４０を備えている。制御部４０には前述した搬送部２０、画像形成部３０の他、検知部４１、通信インタフェース部４２が電気的に接続されている。
【００４０】
制御部４０はＣＰＵ４０Ａ、ＲＯＭ４０Ｂ、ＲＡＭ４０Ｃ、ＡＳＩＣ４０Ｄなどを備えて構成されている。ＣＰＵ４０ＡはＲＯＭ４０Ｂに記憶されている制御プログラムを実行することによってプリンタ１の各部を制御する。ＲＯＭ４０ＢにはＣＰＵ４０Ａによって実行される制御プログラムや各種のデータなどが記憶されている。ＲＡＭ４０ＣはＣＰＵ４０Ａが各種の処理を実行するための主記憶装置として用いられる。
【００４１】
検知部４１はシート保持部１１に設けられており、シート保持部１１の積載板１１Ａに連動して上下する検出フィラーと可変抵抗器とを有している。検知部４１は積載板１１Ａに積載されているシートＭの枚数に応じて検出フィラーが上下することにより、可変抵抗器の抵抗値が変化する。制御部４０は可変抵抗器の抵抗値からシート保持部１１に保持されているシートＭの枚数を判断する。
【００４２】
通信インタフェース部４２は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介して外部の装置と通信するためのハードウェアである。通信インタフェース部４２は通信回線を介して外部の装置から印刷ジョブを受信する。なお、通信方法については、有線方式であってもよいし無線方式であってもよい。
【００４３】
上述した印刷ジョブには印刷対象の画像、シートサイズを示す情報などが格納されているものとする。また、外部の装置でユーザが後述する分割印刷を設定した場合は、印刷ジョブには分割印刷であることを示す情報も格納されているものとする。
【００４４】
（３）分割印刷
次に、図３を参照して、分割印刷について説明する。分割印刷とは、一の画像５０を複数の画像５１〜５９に分割し、各画像５１〜５９をそれぞれ別々のシートＭに印刷することをいう。以降の説明では分割された各画像５１〜５９のことをそれぞれ分割画像という。図３に示すように、本実施形態ではシートＭの縁に余白を残して分割画像が印刷される。この余白は分割画像が印刷されたシートＭを繋ぎ合わせるための糊代として用いられる。例えばユーザはプリンタ１が印刷可能な最大のシートサイズより大きいサイズの印刷物（例えば、ポスターなど）を作成したい場合、各分割画像が印刷されたシートＭを繋ぎ合わせることによって大きな印刷物を作成することができる。
【００４５】
なお、図３では画像５０を９分割しているが、分割する数は９に限られるものではなく、適宜に決定することができる。例えば２分割であってもよいし、４分割であってもよい。
【００４６】
ところで、通常、分割印刷では、一のシート保持部１１に保持されているシートＭを搬送して各分割画像の印刷を行っている途中で当該シート保持部１１に保持されているシートＭがなくなった場合、別のシート保持部１１に切り替えて印刷する。そうすると、図４に示すように、各分割画像が印刷されたシートＭを繋ぎ合わせたときに分割画像間にずれが生じる場合がある。具体的には、図４に示す例では分割画像５４と分割画像５５とに副走査方向のずれＨ１が生じている。また、分割画像５４と分割画像５７とに主走査方向のずれＨ２が生じている。このようなずれが生じる理由としては次の（ａ）〜（ｃ）などが考えられる。
【００４７】
（ａ）製造公差などの理由により、プリンタ１にセットされている状態でシート保持部１１の主走査方向の位置がシート保持部１１間でずれている。
（ｂ）各シート保持部１１に対応して設けられている給紙ローラ２１の回転速度の違いや、給紙ローラ２１とシートＭとの摩擦力の違いによる送り出しタイミングのずれなどにより、搬送中にシート保持部１１間でシートＭの副走査方向（搬送方向に沿った方向）の位置がずれる。
（ｃ）ユーザがシート保持部１１の板状部材１２ＡをシートＭの縁に突き当たるまでスライドさせていないことにより、シート保持部１１に保持されている状態でシートＭの主走査方向の位置がシート保持部１１間でずれている。
【００４８】
ところで、一のシート保持部１１に保持されているシートＭを搬送して分割印刷を行っている途中で当該シート保持部１１に保持されているシートＭがなくなった場合、別のシート保持部１１に切り替えるのではなく、そのシート保持部１１にシートＭが補充されるまで分割印刷を中断することも可能である。しかしながら、その場合は上述した（ｃ）の理由により、同じシート保持部１１でも板状部材１２Ａの位置の違いにより、シートＭがなくなる前に保持されていたシートＭとシートＭがなくなった後に補充されたシートＭとの主走査方向の位置がずれてしまう可能性もある。
【００４９】
そこで、制御部４０は、分割印刷を行う場合は、分割印刷の途中でシート保持部１１を切り替えたり、シートＭを補充したりしなくてよいようにするために、分割画像の数以上の枚数のシートＭが保持されている一のシート保持部１１からシートＭを搬送させる。
【００５０】
ただし、分割画像の数とシート保持部１１に保持されているシートＭの枚数とが同じである場合は、最後に搬送されるシートＭ以外のシートＭは他のシートＭに摺れながら搬送されるのに対し、最後に搬送されるシートＭは他のシートＭに摺れながら搬送されないので、摩擦状態に違いが生じる。摩擦状態に違いが生じると、最後に搬送されるシートＭの送り出しタイミングと他のシートＭの送り出しタイミングとがずれることにより、それらのシートＭを繋ぎ合わせたときに分割画像間で副走査方向のずれが生じる虞がある。
【００５１】
そこで、制御部４０は、分割印刷を行う場合は、複数のシート保持部１１のうち分割画像の数より多い枚数のシートＭが保持されている一のシート保持部１１からシートＭを搬送させる。以下、制御部４０の処理について具体的に説明する。
【００５２】
（４）分割印刷処理
図５を参照して、制御部４０によって実行される分割印刷処理について説明する。本処理は外部の装置から分割印刷が設定されている印刷ジョブを受信すると開始される。
【００５３】
Ｓ１０１では、ＣＰＵ４０Ａは分割印刷ジョブに格納されている分割画像の数を判断する。
Ｓ１０２では、ＣＰＵ４０Ａは各シート保持部１１に保持されているシートＭの枚数を判断する。
Ｓ１０３では、ＣＰＵ４０ＡはＳ１０１で判断した分割画像の数より多い枚数のシートＭを保持しているシート保持部１１があるか否かを判断し、ある場合はＳ１０４に進み、ない場合は分割印刷を中止して本処理を終了する。
【００５４】
Ｓ１０４では、ＣＰＵ４０Ａは分割画像の数より多い枚数のシートＭを保持しているいずれか一のシート保持部１１を選択する。この際、分割画像の数より多い枚数のシートＭを保持しているシート保持部１１が複数ある場合は、最上段に位置するシート保持部１１を選択してもよい。
Ｓ１０５では、ＣＰＵ４０Ａは分割画像を一つ選択する。
Ｓ１０６では、ＣＰＵ４０ＡはＳ１０４で選択したシート保持部１１からシートＭを搬送させる。Ｓ１０６は搬送処理の一例である。
【００５５】
Ｓ１０７では、ＣＰＵ４０ＡはＳ１０５で選択した分割画像をシートＭに印刷させる。
Ｓ１０８では、ＣＰＵ４０Ａは全ての分割画像を選択したか否かを判断し、全ての分割画像を選択した場合は本処理を終了し、未だ選択していない分割画像がある場合はＳ１０５に戻って処理を繰り返す。
【００５６】
（５）実施形態の効果
以上説明した実施形態１に係るプリンタ１によると、複数のシート保持部１１のうち分割画像の数以上の枚数のシートが保持されている一のシート保持部１１からシートＭを搬送させるので、分割印刷の途中でシート保持部１１を切り替えたりシートＭを補充したりしなくてよい。これにより、分割画像が印刷された複数のシートＭを繋ぎ合わせたときの分割画像間のずれを抑制することができる。
【００５７】
更に、プリンタ１によると、分割画像の数より多い枚数のシートＭを保持している一のシート保持部１１からシートＭを搬送させるので、分割画像の数と同じ枚数のシートＭを保持している一のシート保持部１１からシートＭを搬送させる場合に比べ、分割画像が印刷される複数のシートＭのうち最後に搬送されるシートＭと他のシートＭとの摩擦状態の違いを抑制できる。
【００５８】
更に、プリンタ１によると、分割画像の数以上の枚数のシートＭを保持しているシート保持部１１が存在しない場合は分割画像の印刷を中止するので、分割画像が印刷された複数のシートＭを繋ぎ合わせたときの分割画像間のずれを抑制することができる。
【００５９】
＜実施形態２＞
次に、実施形態２を図６ないし図９によって説明する。
実施形態２では互いに連続性のある複数の分割画像を一の分割画像グループとして、分割画像グループ毎に、複数のシート保持部１１のうち当該分割画像グループに属する複数の分割画像の数より多い枚数のシートＭを保持している一のシート保持部１１からシートＭを搬送させる。
【００６０】
（１）連続性のある分割画像
分割画像に連続性があるか否かを判断する方法には種々の方法がある。ここでは画像を構成しているオブジェクトに基づいて判断する場合を例に説明する。
先ず、図６を参照して、プリンタ１に印刷ジョブを送信する外部の装置で実行されるアプリケーションやプリンタドライバの処理について説明する。例えばワードプロセッサなどでは、写真６１、テキスト６２、図形６３などの複数のオブジェクトからなる画像６０を作成することができる。アプリケーションはユーザから画像の印刷が指示されると、印刷が指示された画像を構成しているオブジェクト毎に、そのオブジェクトを描画するための描画命令をプリンタドライバに出力する。
【００６１】
描画命令にはその描画命令によって描画されるオブジェクトの描画領域を示す情報が付加される。例えば写真６１の場合は写真６１が印刷される領域の左上の座標、横方向のピクセル数、縦方向のピクセル数などが付加される。テキスト６２や図形６３についても同様である。
【００６２】
プリンタドライバは、描画命令が出力されると、外部の装置のＲＡＭ上に確保した仮想的なページ上にオブジェクトを描画することによってラスターデータを生成する。そして、プリンタドライバはラスターデータを複数の分割画像７１〜７９に分割する。
【００６３】
そして、プリンタドライバは分割画像毎に色空間変換処理や中間調処理を施して二値データを生成し、生成した二値データを分割画像として印刷ジョブに格納する。また、プリンタドライバはオブジェクト毎の描画領域を示す情報も印刷ジョブに格納する。
【００６４】
制御部４０は外部の装置から印刷ジョブを受信すると、印刷ジョブに格納されているオブジェクト毎の描画領域を示す情報に基づいて、複数の分割画像７１〜７９の連続性を判断する。例えば写真６１は複数の分割画像７１、７２、７４、及び、７５に跨って印刷される。この場合、制御部４０は分割画像７１、７２、７４、及び、７５は互いに連続性があると判断する。また、テキスト６２は分割画像７５と７６とに跨って印刷される。この場合、制御部４０は分割画像７５と分割画像７６とは互いに連続性があると判断する。従ってこの場合は分割画像７１、７２、及び、７４〜７６は互いに連続性があると判断されることになる。
【００６５】
また、例えば二つの図形６３はいずれも分割画像７７と７８とに跨って印刷される。この場合、制御部４０は分割画像７７と７８とは互いに連続性があると判断する。
【００６６】
これに対し、分割画像７３や７９には他の分割画像に跨るオブジェクトは印刷されない。この場合、制御部４０は、分割画像７３及び７９は他の分割画像との連続性がないと判断する。
【００６７】
前述したように本実施形態では互いに連続性のある複数の分割画像を一の分割画像グループとする。従って上述した例の場合は、分割画像７１、７２、及び、７４〜７６からなる分割画像グループと、分割画像７７及び７８からなる分割画像グループとに分けられることになる。分割画像７３及び７９は他の分割画像との連続性がないので分割画像グループに属さない分割画像である。
【００６８】
（２）分割印刷処理
次に、図７を参照して、実施形態２に係る分割印刷処理について説明する。ここでは、制御部４０は、分割画像グループに属する分割画像と分割画像グループに属さない分割画像とがある場合は、分割画像グループに属する分割画像を分割画像グループに属さない分割画像より先に印刷させるものとする。また、ここでは、制御部４０は、分割画像グループが複数ある場合は、分割画像の数が多い分割画像グループから先に印刷させるものとする。
【００６９】
Ｓ２０１では、ＣＰＵ４０Ａは分割画像の連続性を判断して分割画像グループに分ける。分割画像グループに分ける方法は前述した通りであるのでここでは説明を省略する。
Ｓ２０２では、ＣＰＵ４０Ａは分割画像グループが一つ以上あるか否かを判断し、ある場合はＳ２０３に進み、ない場合はＳ２０３をスキップしてＳ２０４に進む。
Ｓ２０３では、ＣＰＵ４０Ａは分割画像グループの印刷処理を実行する。
【００７０】
Ｓ２０４では、ＣＰＵ４０Ａは連続性のない分割画像があるか否かを判断する。言い換えると、ＣＰＵ４０Ａはいずれの分割画像グループにも属さない分割画像があるか否かを判断する。ＣＰＵ４０Ａは、連続性のない分割画像がある場合はＳ２０５に進み、ない場合は本処理を終了する。
Ｓ２０５では、ＣＰＵ４０Ａは連続性のない分割画像の印刷処理を実行する
【００７１】
（２−１）分割画像グループの印刷処理
次に、図８を参照して、前述したＳ２０３で実行される分割画像グループの印刷処理について説明する。
【００７２】
Ｓ３０１では、ＣＰＵ４０Ａは分割画像グループを一つ選択する。分割画像グループを選択する順は、属している分割画像の数が多い順とする。
Ｓ３０２では、ＣＰＵ４０Ａは各シート保持部１１に保持されているシートＭの枚数を判断する。
Ｓ３０３では、ＣＰＵ４０ＡはＳ３０１で選択した分割画像グループに属する分割画像の数より多い枚数のシートＭを保持しているシート保持部１１があるか否かを判断し、ない場合はＳ３０４に進み、ある場合はＳ３０５に進む。
【００７３】
Ｓ３０４では、ＣＰＵ４０Ａはいずれかのシート保持部１１にＳ３０１で選択した分割画像グループに属する分割画像の数より多い枚数のシートが保持されるまで印刷の開始を待機する。ＣＰＵ４０Ａはいずれかのシート保持部１１に上述した数より多い枚数のシートが保持されるとＳ３０５に進む。
【００７４】
Ｓ３０５では、ＣＰＵ４０Ａは選択した分割画像グループに属する分割画像の数より多い枚数のシートＭを保持しているいずれか一のシート保持部１１を選択する。
Ｓ３０６では、ＣＰＵ４０ＡはＳ３０１で選択した分割画像グループに属する分割画像の中から分割画像を一つ選択する。
Ｓ３０７では、ＣＰＵ４０ＡはＳ３０５で選択したシート保持部１１からシートＭを搬送させる。
【００７５】
Ｓ３０８では、ＣＰＵ４０ＡはＳ３０６で選択した分割画像をシートＭに印刷させる。
Ｓ３０９では、ＣＰＵ４０ＡはＳ３０１で選択した分割画像グループに属する全ての分割画像を選択したか否かを判断し、全ての分割画像を選択した場合はＳ３１０に進み、未だ選択していない分割画像がある場合はＳ３０６に戻って処理を繰り返す。
【００７６】
Ｓ３１０では、ＣＰＵ４０Ａは全ての分割画像グループを選択したか否かを判断し、全ての分割画像グループを選択した場合は本処理を終了して分割印刷処理に戻り、未だ選択していない分割画像グループがある場合はＳ３０１に戻って処理を繰り返す。
【００７７】
（２−２）連続性のない分割画像の印刷処理
次に、図９を参照して、前述したＳ２０５で実行される連続性のない分割画像の印刷処理について説明する。
【００７８】
Ｓ４０１では、ＣＰＵ４０Ａは連続性のない分割画像を一つ選択する。
Ｓ４０２では、ＣＰＵ４０Ａは１枚以上のシートＭを保持しているシート保持部１１を選択する。
Ｓ４０３では、ＣＰＵ４０ＡはＳ４０２で選択したシート保持部１１からシートＭを搬送させる。
【００７９】
Ｓ４０４では、ＣＰＵ４０ＡはＳ４０２で選択した分割画像をシートＭに印刷させる。
Ｓ４０５では、ＣＰＵ４０Ａは連続性のない分割画像を全て選択したか否かを判断し、全て選択した場合は本処理を終了して分割印刷処理に戻り、未だ選択していない分割画像がある場合はＳ４０１に戻って処理を繰り返す。
【００８０】
（３）実施形態の効果
以上説明した実施形態２に係るプリンタ１によると、分割印刷グループの印刷の途中でシート保持部１１を切り替えたりシートＭを補充したりしなくてよいので、連続性のある分割画像が印刷された複数のシートＭを繋ぎ合わせたときの分割画像間のずれを抑制することができる。
【００８１】
更に、プリンタ１によると、分割画像グループに属する分割画像の数より多い枚数のシートＭを保持している一のシート保持部１１から搬送させるので、分割画像グループに属する分割画像の数と同じ枚数のシートＭを保持している一のシート保持部１１からシートＭを搬送させる場合に比べ、各分割画像グループについて、当該分割画像グループに属する分割画像が印刷される複数のシートＭのうち最後に搬送されるシートＭと他のシートＭとの摩擦状態の違いを抑制できる。
【００８２】
更に、プリンタ１によると、一のオブジェクトが跨って印刷されるか否かにより、他の分割画像との連続性があるか否かを判断することができる。
【００８３】
更に、プリンタ１によると、分割画像グループに属する分割画像を、分割画像グループに属さない分割画像より先に印刷させるので、分割画像グループに属する分割画像を印刷させるとき、当該分割画像グループに属する分割画像の数以上の枚数のシートＭを保持しているシート保持部１１が存在する可能性が高くなる。
【００８４】
更に、プリンタ１によると、分割画像グループが複数ある場合は、分割画像の数が多い分割画像グループから先に印刷させるので、分割画像の数が多い分割画像グループに属する分割画像を印刷させるとき、当該分割画像グループに属する分割画像の数以上の枚数のシートＭを保持しているシート保持部１１が存在する可能性が高くなる。
【００８５】
更に、プリンタ１によると、分割画像グループに属する分割画像の数以上の枚数のシートＭを保持しているシート保持部１１が存在しない場合は分割画像の印刷の開始を待機するので、連続性のある分割画像が印刷された複数のシートＭを繋ぎ合わせたときの分割画像間のずれを抑制することができる。
【００８６】
＜実施形態３＞
次に、実施形態３を説明する。
実施形態３は前述した実施形態２の変形例である。実施形態３に係る制御部４０は、分割画像の縁部の色が変化するか否かによってその分割画像が他の分割画像と連続性があるか否かを判断する。
【００８７】
前述した図３に示す画像５０を例に、実施形態３に係る連続性の判断について説明する。画像５０において分割画像５１、５３、及び、５８は、他の分割画像と接する辺側の縁部の色が変化していない。ここで分割画像において他の分割画像と接する辺側の縁部とは、他の分割画像と接する辺側の最も外側の画素からなる領域のことをいう。
【００８８】
縁部の色が変化しない分割画像が印刷されたシートＭは、別の分割画像が印刷されたシートＭに繋ぎ合わせたとき、分割画像間にずれがあっても目立ち難い。このため、制御部４０は、他の分割画像と接する辺側の縁部の色が変化しない分割画像は他の分割画像との連続性がないと判断する。
【００８９】
これに対し、例えば分割画像５２、５４〜５７、及び、５９は他の分割画像と接する辺側の縁部の色が変化している。このような分割画像が印刷されたシートＭは、別の分割画像が印刷されたシートＭと繋ぎ合わせたとき、分割画像間にずれがあると色が滑らかに繋がらないことによってずれが目立ち易い。このため、制御部４０は、他の分割画像と接する辺側の縁部の色が変化する分割画像は他の分割画像との連続性があると判断する。
【００９０】
従って図３に示す画像５０の場合は、分割画像グループとしては分割画像５２、５４〜５７、及び、５９からなるグループだけとなり、分割画像５１、５３、及び、５８は分割画像グループに属さない分割画像となる。
【００９１】
以上説明した実施形態３に係るプリンタ１によると、縁部の色が変化するか否かにより、他の分割画像との連続性があるか否かを判断することができる。
【００９２】
＜実施形態４＞
次に、実施形態４を図１０ないし図１２によって説明する。
前述した実施形態１〜３ではシート保持部１１に検知部４１が設けられている場合を例に説明した。これに対し、実施形態４ではシート保持部１１に検知部４１が設けられていない場合を例に説明する。検知部４１が設けられていないので、実施形態４に係る制御部４０は、シート保持部１１に保持されているシートの枚数が分割画像の数以上であるか否かを判断することなく分割印刷を開始する。
【００９３】
ただし、実施形態４では、制御部４０はシート保持部１１に保持されているシートＭがなくなったか否かは判断できるものとする。例えば搬送経路Ｔにおいて画像形成部３０より上流側にシートＭを検出するセンサを設け、給紙ローラ２１を回転させても一定時間以内にセンサによってシートＭが検出されなければシートＭがなくなったと判断することができる。
【００９４】
実施形態４に係る制御部４０は、複数の画像をそれぞれ別々のシートＭに印刷させる通常印刷の場合は、一のシート保持部１１に保持されているシートＭがなくなると別のシート保持部１１に切り替えて搬送部２０にシートＭを搬送させる。これに対し、分割印刷の場合は、制御部４０は一のシート保持部１１に保持されているシートＭがなくなると、当該一のシート保持部１１にシートＭが保持されるまで印刷を中断する。
【００９５】
（１）印刷処理
図１０を参照して、実施形態４に係る印刷処理について説明する。本処理はプリンタ１が外部の装置から印刷ジョブを受信すると開始される。
【００９６】
Ｓ５０１では、ＣＰＵ４０Ａは通常印刷を行うか分割印刷を行うかを判断する。通常印刷を行うか分割印刷を行うかは印刷ジョブに格納されている印刷設定から判断できるものとする。ＣＰＵ４０Ａは、通常印刷を実行する場合はＳ５０２に進み、分割印刷を行う場合はＳ５０３に進む。
Ｓ５０２では、ＣＰＵ４０Ａは通常印刷処理を実行する。
Ｓ５０３では、ＣＰＵ４０Ａは分割印刷処理を実行する。
【００９７】
（１−１）通常印刷処理
次に、図１１を参照して、前述したＳ５０２で実行される通常印刷処理について説明する。
【００９８】
Ｓ６０１では、ＣＰＵ４０Ａは一のシート保持部１１を選択する。
Ｓ６０２では、ＣＰＵ４０Ａは印刷ジョブに格納されている画像を一つ選択する。
Ｓ６０３では、ＣＰＵ４０ＡはＳ６０１で選択したシート保持部１１からシートＭを搬送させる。
【００９９】
Ｓ６０４では、ＣＰＵ４０Ａは実際にシートＭが搬送されているか否かを前述したセンサの検出信号から判断し、搬送されていない場合はシートＭがないと判断してＳ６０５に進み、搬送されている場合はシートＭがあると判断してＳ６０６に進む。
Ｓ６０５では、ＣＰＵ４０Ａは別のシート保持部１１を選択する。
Ｓ６０６では、ＣＰＵ４０ＡはＳ６０２で選択した画像をシートＭに印刷させる。
【０１００】
Ｓ６０７では、ＣＰＵ４０Ａは印刷ジョブに格納されている全ての画像を選択したか否かを判断し、全ての画像を選択した場合は本処理を終了して印刷処理に戻り、未だ選択していない画像がある場合はＳ６０１に戻って処理を繰り返す。
【０１０１】
（１−２）分割印刷処理
次に、図１２を参照して、前述したＳ５０３で実行される分割印刷処理について説明する。
【０１０２】
Ｓ７０１では、ＣＰＵ４０Ａは一のシート保持部１１を選択する。
Ｓ７０２では、ＣＰＵ４０Ａは印刷ジョブに格納されている分割画像の中から分割画像を一つ選択する。
Ｓ７０３では、ＣＰＵ４０ＡはＳ７０１で選択したシート保持部１１からシートＭを搬送させる。
【０１０３】
Ｓ７０４では、ＣＰＵ４０Ａは実際にシートＭが搬送されているか否かを前述したセンサの検出信号から判断し、搬送されていない場合はシートＭがないと判断してＳ７０５に進み、搬送されている場合はシートＭがあると判断してＳ７０６に進む。
Ｓ７０５では、ＣＰＵ４０ＡはＳ７０１で選択したシート保持部１１にシートＭが１枚以上保持されたか否かを判断する。具体的には、ＣＰＵ４０Ａは搬送部２０にシートＭを搬送させ、センサによってシートＭが検出されたか否かを判断する。ＣＰＵ４０Ａは、シートＭが検出された場合は保持されたと判断してＳ７０６に進み、検出されていない場合は一定時間が経過した後に再度Ｓ７０５の処理を繰り返す。
【０１０４】
Ｓ７０６では、ＣＰＵ４０ＡはＳ７０２で選択した分割画像をシートＭに印刷させる。
Ｓ７０７では、ＣＰＵ４０Ａは全ての分割画像を選択したか否かを判断し、全ての分割画像を選択した場合は本処理を終了して印刷処理に戻り、未だ選択していない分割画像がある場合はＳ７０２に戻って処理を繰り返す。
【０１０５】
（２）実施形態の効果
以上説明した実施形態４に係るプリンタ１によると、複数の画像をそれぞれ別々のシートＭに印刷させる通常印刷の場合は、一のシート保持部１１に保持されているシートＭが途中でなくなると別のシート保持部１１に切り替えてシートＭを搬送させるので、途中でシートＭがなくなっても最後まで印刷することができる。一方、一の画像を複数に分割した分割画像をそれぞれ別々のシートＭに印刷させる分割印刷の場合は、一のシート保持部１１に保持されているシートＭが途中でなくなってもシート保持部１１を切り替えないので、分割画像が印刷された複数のシートＭを繋ぎ合わせたときの分割画像間のずれを抑制することができる。
【０１０６】
＜他の実施形態＞
上記記述及び図面によって説明した実施形態に限定されるものではなく、例えば次のような実施形態も技術的範囲に含まれる。
【０１０７】
（１）上記実施形態では分割画像の数（あるいは分割画像グループに属する分割画像の数）より多い枚数のシートＭを保持しているシート保持部１１を選択する例を説明したが、分割画像の数（あるいは分割画像グループに属する分割画像の数）と同数の枚数のシートＭを保持しているシート保持部１１を選択してもよい。このようにしても、分割印刷の途中でシート保持部１１を切り替えたりシートＭを補充したりしなくてよいので、分割画像間のずれを抑制できる。
【０１０８】
（２）上記実施形態１では分割画像の数より多い枚数のシートＭを保持しているシート保持部１１が存在しない場合は分割画像の印刷を中止する場合を例に説明した。これに対し、分割画像の数より多い枚数のシートＭを保持しているシート保持部１１が存在しない場合はいずれかのシート保持部１１に分割画像の数より多い枚数のシートＭが保持されるまで印刷の開始を待機してもよい。
【０１０９】
（３）上記実施形態２及び３では選択した分割画像グループを印刷するとき当該分割画像グループに属する分割画像の数より多い枚数のシートＭを保持しているシート保持部１１がない場合は、当該分割画像グループの印刷の開始を待機する場合を例に説明した。これに対し、当該分割画像グループの印刷を中止してもよい。
【０１１０】
（４）上記実施形態４では分割印刷の途中でシートＭがなくなると当該一のシート保持部１１にシートＭが保持されるまで印刷を中断する場合を例に説明した。これに対し、分割印刷の途中でシートＭがなくなった場合は印刷を中止してもよい。
【０１１１】
（５）上記実施形態では可変抵抗器や検出フィラーなどからなる検知部４１を例に説明した。これに対し、搬送部２０が積載板１１Ａを昇降させるモータを備えている場合は、モータの回転数からシートＭの枚数を判断してもよい。例えば、シート保持部１１をセットしたときにモータを回転させてシートＭが給紙ローラ２１に当接するまで積載板１１Ａを上昇させ、そのときのモータの回転数から最初にセットされたシートＭの枚数を判断してもよい。そして、１枚印刷する毎に減算することによってシートＭの現在の枚数を判断する構成であってもよい。
【０１１２】
あるいは、シート保持部１１に保持されているシートＭを挟んで一方の側に光源を設けると共に、他方の側に受光部を設け、受光部が受光した光の強度によってシートＭの枚数を判断してもよい。
【０１１３】
（６）上記実施形態では分割画像の数が多い分割画像グループから先に印刷する場合を例に説明した。これに対し、各シート保持部１１にそれぞれ十分な枚数のシートＭが保持されている場合は、分割画像の数が多い分割画像グループから先に印刷しなくてもよい。逆に言うと、分割画像の数が多い分割画像グループから先に印刷するのは、分割画像の数が最も多い分割画像グループに属する分割画像の数以上の枚数のシートＭを保持しているシート保持部１１が一つしかない場合であってもよい。
【０１１４】
（７）上記実施形態ではシート保持部１１が複数ある場合を例に説明したが、シート保持部１１が一つだけしかない場合は、分割印刷の途中で何らかの理由（用紙なし、ジャムなど）によって印刷を中断した場合は、最初から印刷をやり直すようにしてもよい。
【０１１５】
（８）上記実施形態では外部の装置から受信した印刷ジョブに格納されている分割画像を印刷する場合を例に説明した。これに対し、プリンタ１が画像読取装置を備えている場合は、画像読取装置によって原稿を読み取って生成した画像データが表す画像を分割印刷してもよい。
【０１１６】
（９）上記実施形態では分割画像の数以上の枚数のシートＭを保持しているシート保持部１１が複数存在する場合はいずれのシート保持部１１を選択してもよい場合を例に説明した。これに対し、シート保持部１１毎に故障した回数を記録しておき、分割画像の数以上の枚数のシートＭを保持しているシート保持部１１が複数ある場合は、故障の頻度が基準回数以下のシート保持部１１から搬送させてもよい。ここで故障とは、用紙ジャムや給紙ローラ２１の回転不良によってシートＭが搬送されないことなどをいう。
【０１１７】
（１０）上記実施形態ではＣＰＵ４０Ａによって各処理が実行される場合を例に説明した。これに対し、これらの処理の一部はＡＳＩＣ４０Ｄによって実行されてもよい。また、制御部４０はＡＳＩＣ４０Ｄを備えていなくてもよい。また、制御部４０は複数のＣＰＵを備え、上述した処理を複数のＣＰＵによって分担して実行してもよい。
【符号の説明】
【０１１８】
１・・・プリンタ、１１・・・シート保持部、２０・・・搬送部、３０・・・画像形成部、４０・・・制御部、４１・・・検知部、４２・・・通信インタフェース部、５０・・・制御部、５０・・・画像、５１〜５９・・・分割画像、６１・・・写真、６２・・・テキスト、６３・・・図形、７１〜７９・・・分割画像、Ｈ１・・・ずれ、Ｈ２・・・ずれ、Ｍ・・・シート
【図１】
2015193091.tif 000003
【図２】
2015193091.tif 000004
【図３】
2015193091.tif 000005
【図４】
2015193091.tif 000006
【図５】
2015193091.tif 000007
【図６】
2015193091.tif 000008
【図７】
2015193091.tif 000009
【図８】
2015193091.tif 000010
【図９】
2015193091.tif 000011
【図１０】
2015193091.tif 000012
【図１１】
2015193091.tif 000013
【図１２】
2015193091.tif 000014